(57)【要約】【課題】  座標入力時の指示体の押圧操作による押圧力に起因して座標入力装置の下側に設けられた液晶表示ユニットのセルギャップが変化するのを防止できる座標入力装置及びこの座標入力装置を備えた液晶表示装置と電子機器の提供。【解決手段】  第１の透光性基板３２と可撓性を有する第２の透光性基板３１が空隙部を隔てて対向配置され、第１の透光性基板３２の内面側に第１の透光性電極層３３が形成され、第２の透光性基板３１の内面側に第２の透光性電極層３４が形成され、第１の透光性基板３２は、中央部３２ａと周縁部３２ｂとで厚みが変更されている抵抗接触方式の座標入力装置３０。この座標入力装置３０が液晶表示ユニット２０の前面に備えられた液晶表示装置１０。【選択図】  図１
2005100333.tif 000002
【特許請求の範囲】
【請求項１】
第１の透光性基板と可撓性を有する第２の透光性基板が空隙部を隔てて対向配置され、前記第１の透光性基板の内面側に第１の透光性電極層が形成され、前記第２の透光性基板の内面側に第２の透光性電極層が形成され、
前記第２の透光性基板の外面側が指示体により押圧された際に、被押圧部において前記第１の透光性電極層と前記第２の透光性電極層とが部分的に電気的に接続され、前記被押圧部の座標情報を出力する座標入力装置において、
前記第１の透光性基板は、中央部と周縁部とで厚みが変更されていることを特徴とする座標入力装置。
【請求項２】
前記第１の透光性基板は周縁部から中央部にかけて厚みが徐々に薄くなるように形成され、外面は凹状曲面形状とされていることを特徴とする請求項１に記載の座標入力装置。
【請求項３】
前記第１の透光性基板の周縁部にリブが形成されていることを特徴とする請求項１又は２に記載の座標入力装置。
【請求項４】
請求項１乃至３のいずれか一項に記載の座標入力装置を、液晶表示ユニットの前面に備えたことを特徴とする液晶表示装置。
【請求項５】
請求項４に記載の液晶表示装置を表示部に備えたことを特徴とする電子機器。
【発明の詳細な説明】
【技術分野】
【０００１】
本発明は、座標入力装置及びそれを備えた液晶表示装置と電子機器に関するものであり、特に、操作面上を指示体により走査して座標の入力を行うことができる座標入力装置及びそれを備えた液晶表示装置と、このような液晶表示装置を備えた電子機器に関するものである。
【背景技術】
【０００２】
近年、携帯情報端末などの電子機器の表示部として、表示部に表示されたメニュー項目などのオブジェクトを、手指やペンなどの指示体で直接操作するために透明なタブレット（タッチパネル）が液晶表示ユニットの前面側に配設されたものが知られている。
図６は、このようなタブレットを備えた液晶表示装置の一例を示す断面図である。
図６に示す液晶表示装置１００は、液晶表示ユニット１２０の前面側にタブレット１３０が配設された構成とされている。液晶表示ユニット１２０は、互いに対向して配置された上基板１２１と、下基板１２２との間に、シール材１２４で封止された液晶層１２３を挟持しており、上基板１２１の内面側（液晶層１２３側）に、電極や配向膜などからなる液晶制御層１２６が形成され、下基板１２２の内面側（液晶層１２３側）には、アルミニウムや銀等の高反射率の金属薄膜からなる反射層あるいは上記金属薄膜に透孔を形成した半透過反射層１２７と、電極や配向膜などからなる液晶制御層１２８とが下基板１２２上に順に積層されている。
【０００３】
タブレット１３０は、対向して配置された透明な上基板１３１と下基板１３２とがシール材１３６により接合一体化された構成である（例えば、特許文献１参照）。上基板１３１は、厚さが０．１乃至０．２ｍｍ程度の透明フィルム等の可撓性を有する材料から構成されている。下基板１３２は、厚さが０．５乃至１．５ｍｍ程度のプラスチック基板から構成されている。
下基板１３２の内面側（上基板１３１側）に、第１の電極層１３３が形成され、この第１の透明電極層１３３上に絶縁体のスペーサ（図示略）が互いに間隔を空けて形成されている。上基板１３１の内面側（下基板１３２側）には、第２の透明電極層１３４が形成されている。
【０００４】
下基板１３２の内面側の周縁部には下側印刷回路（図示略）が形成されており、該印刷回路に第１の透明電極層１３３が接続されている。また、上基板１３１の内面側の周縁部には上側印刷回路（図示略）が形成されており、該印刷回路に第２の透明電極層１３４が接続されている。
また、このようなタイプのタブレット１３０では、上基板１３１が透明フィルムから形成されているために、上記の上下の印刷回路が透けてしまうため、ベゼルと呼ばれる枠体１４５を上基板１３１の外面側の周縁部に設けることで印刷回路が見えないようにしている。
【０００５】
上記構成のタブレット１３０は、抵抗接触式のタブレットであり、非操作時には上記スペーサにより離間されている第１、第２の透明電極層１３３，１３４を、指示体１４０で上基板１３１を押圧して撓ませ、この被押圧部において透明電極層１３３，１３４を電気的に接触させることで、座標入力を行うものである。  また実際にはタブレット１３０は支持部材１３９を介して液晶表示ユニット１２０に固定されており、タブレット１３０が固定された状態では、タブレット１３０と液晶表示ユニット１２０は所定の間隔を有して互いに離間されるようになっている。
【０００６】
以上の構成の液晶表示装置１００によれば、液晶表示ユニット１２０を用いた表示を行うことができ、また指示体１４０（図示ではペン型の指示体）によりタブレット１３０の上面を走査することで、座標入力を行うことができるようになっている。従って、例えば液晶表示ユニット１２０に表示されたメニュー項目などのオブジェクトを選択する操作を行う場合には、オブジェクトの表示位置を指示体１４０により押圧することで選択動作を行うことができる。
【特許文献１】特開平１０−１０４３７４号公報
【発明の開示】
【発明が解決しようとする課題】
【０００７】
しかしながら上記構成の液晶表示装置１００においては、座標入力時に指示体１４０によりタブレット１３０の上基板１３１を押圧して撓ませているが、その際、タブレット１３０の下側に配置されている液晶表示ユニット１２０にも押圧力がかかって上基板１２１が撓み、上下の基板の間隔（セルギャップ）が変化し、表示画像に揺らぎが生じ、表示が見にくくなってしまうという問題があった。それは、液晶表示ユニット１２０のセルギャップは、数μｍ程度に厳密に合わせ込まれているので、上基板１２１の撓みが僅かであっても、液晶表示ユニット１２０のセルギャップを局所的に大きな比率で変動させることになり、表示に揺らぎが生じ、表示の視認性が低下してしまう。
【０００８】
なお、従来のタブレットの他の例としては、プラスチック基板からなる下基板１３２に代えて厚さが０．０５乃至０．２ｍｍ程度の透明フィルムの下面（液晶表示ユニット側の面）を接着剤により厚さが０．４乃至２．０ｍｍ程度のプラスチック基板の上面（液晶表示ユニット側と反対側の面）に貼着したものを用いる以外は図６に示すタブレットと同様の構造にしたものがあるが、かかる構造のタブレットを設けた液晶表示装置においても上記と同様の問題が生じてしまう。
従って、タブレットの下基板と液晶表示ユニットとの空間の距離は、一般に０．３乃至０．６ｍｍ程度になっているが、この限られた空間の中で撓みの少ないタブレットの要求が大きくなった。
【０００９】
本発明は、上記事情に鑑みてなされたものであって、座標入力時の指示体の押圧操作による押圧力に起因して座標入力装置の下側に設けられた液晶表示ユニットのセルギャップが変化するのを防止できる座標入力装置を提供することを目的の一つとする。
また、本発明は、上記のような座標入力装置を備えることにより、座標入力時の指示体の押圧操作による押圧力が座標入力装置にかかっても液晶表示ユニットのセルギャプが影響を受けることがなく、表示画像に揺らぎが生じるのを改善できる液晶表示装置を提供することを目的の一つとする。
また、本発明は、上記のような液晶表示装置を備えることにより、表示の視認性が優れた電子機器を提供することを目的の一つとする。
【課題を解決するための手段】
【００１０】
上記課題を解決するために本発明者が鋭意検討及び実験を行った結果、従来のタブレットのように下基板が均一な厚さである場合に、座標入力時に上基板の外面側を指示体により押圧すると、下基板の周縁部はシール材が貼着されている部分（シール材により保持されている部分）に近いため撓み難く、下基板の中央部は上記シール材から離れているため撓み易く、従って下基板の中央部の撓み量が大きくなり、このタブレットの下側に配置されている液晶表示ユニットの上基板の中央部の撓み量も大きくなり、セルギャップが変わってしまうことが分かった。
【００１１】
そこで、本発明者はシール材が貼着されている部分から離れた下基板の中央部の厚みを周縁部より薄くし、かつ外面に凹状曲面形状を形成することで下基板の中央部が撓みにくい構造とし、たとえ下基板の中央部が撓んでも上記凹みがあるので（上記下基板の中央部と液晶表示ユニットの上基板との間の距離が大きいので）、液晶表示ユニットの上基板が上記撓みの影響を受けにくくなることを究明し、本発明を完成した。
【００１２】
上記目的を達成するために、本発明は以下の構成を採用した。
第１の発明の座標入力装置は、第１の透光性基板と可撓性を有する第２の透光性基板が空隙部を隔てて対向配置され、前記第１の透光性基板の内面側に第１の透光性電極層が形成され、前記第２の透光性基板の内面側に第２の透光性電極層が形成され、
前記第２の透光性基板の外面側が指示体により押圧された際に、被押圧部において前記第１の透光性電極層と前記第２の透光性電極層とが部分的に電気的に接続され、前記被押圧部の座標情報を出力する座標入力装置において、
前記第１の透光性基板は、中央部と周縁部とで厚みが変更されていることを特徴とする。
【００１３】
第１の発明の座標入力装置では、前記第１の透光性基板を中央部と周縁部とで厚みを変更されることにより、座標入力時に前記第２の透光性基板の外面側が指示体により押圧された際に、上記第１の透光性基板の中央部の上記指示体による押圧力に対する撓み量を低減することが可能であり、また、上記第１の透光性基板の中央部とこの第１の透光性基板の下側に配置される液晶表示ユニットの上基板との間の距離を大きくとれるので、たとえ第１の透光性基板の中央部が撓んでも液晶表示ユニットの上基板が上記撓みの影響を受けるのを防止することが可能である。
従って、第１の発明の座標入力装置によれば、座標入力時に前記第２の透光性基板の外面側が指示体により押圧されされても、この座標入力装置の第１の透光性基板の下側に配置されている液晶表示ユニットの上基板が上記押圧力により撓むことを改善でき、セルギャップが変化するのを防止できる。
【００１４】
また、上記第１の発明の座標入力装置において、前記第１の透光性基板は周縁部から中央部にかけて厚みが徐々に薄くなるように形成され、外面は凹状曲面形状とされていてもよい。
【００１５】
かかる構成の座標入力装置ではシール材等で保持されている部分から遠い位置にある上記第１の透光性基板の中央部の厚みを周縁部より薄くし、かつ外面形状を凹状曲面形状としているので、座標入力時に前記第２の透光性基板の外面側が指示体により押圧された際に、上記第１の透光性基板の中央部が撓みにくい構造であり、たとえ上記第１の透光性基板の中央部が撓んでも上記凹みがあるので（上記第１の透光性基板の中央部と液晶表示ユニットの上基板との間の距離が大きいので）、液晶表示ユニットの上基板が上記撓みの影響を受け難くなり、セルギャップが変化するのを防止できる。
【００１６】
従来の厚みが均一のタブレットに対し、下基板（第１の透光性基板）の外面側を凹状曲面形状とした本発明のタブレット（座標入力装置）では、同一荷重をかけたときにタブレットの撓み量が０．３倍から０．９７倍と小さくなり、液晶表示ユニットにぶつかりにくくなる。
例えば、下基板（第１の透光性基板）として、６０ｍｍ×４５ｍｍのプラスチック（曲げ弾性係数２６００ＭＰａ）を用いた厚み１．０ｍｍの平板と、６０ｍｍ×４５ｍｍのプラスチック板の外面側を凹状曲面形状にして中央部厚みを１．０ｍｍとし、かつ周縁部の厚みを１．３ｍｍしたものに、それぞれ４．９Ｎ（５００ｇｆ）の荷重を中央部にかけた場合、上記の平板の場合、０．２ｍｍ撓むのに対し、外面側を凹状曲面形状にしたものは０．１４ｍｍ撓み、３０％撓み量を少なくできる。
また、上記第１の発明の座標入力装置において、上記第１の透光性基板の周縁部にリブが形成されていてもよい。
上記リブの高さは、例えば、周縁部を除く第１の透光性基板の下側面（外面）と、第１の透光性基板の下側（外面側）に形成される液晶表示ユニットとが所定の間隔を有して互いに離間されるように設計されるのが好ましい。具体的には、第１の透光性基板において、リブが形成された外縁部が液晶表示ユニットと最も近接する部分となり、それ以外の部分においては液晶表示ユニットと所定の間隔を有して互いに離間するように設計される。また、座標入力時において、液晶表示ユニットのセルギャップに、より影響を与えないことから、上記第１の透光性基板は、周縁部から中央部にかけて厚みが徐々に薄くなるように形成されるとともに外面は凹状曲面形状とされ、かつ周縁部にリブが形成されているものが好ましい。このように、周縁部を除く第１の透光性基板の下側面（外面）と液晶表示ユニットとが所定の間隔を有している場合は、液晶表示ユニット上にリブ付きの第１の透光性基板が直接接するようにタブレット（座標入力装置）を形成することができるので、支持部材を必要とせず、部品点数を少なくすることができる。
【００１７】
第２の発明の液晶表示装置は、上記のいずれかの構成の本発明の座標入力装置を、液晶表示ユニットの前面に備えたことを特徴とする。
かかる構成の第２の発明の液晶表示装置によれば、座標入力時の指示体の押圧操作による押圧力が上記座標入力装置の第２の透光性基板にかかっても上記液晶表示ユニットのセルギャプが影響を受けることがなく、表示画像に揺らぎが生じることがなく、表示の視認性を向上できる。
【００１８】
第３の発明の電子機器は、第２の発明の液晶表示装置を表示部に備えたことを特徴とする。
第３の発明の電子機器では、座標入力時の指示体の押圧操作による押圧力が座標入力装置にかかることに起因して液晶表示装置のセルギャップが変化することが改善された液晶表示装置が表示部に備えられたことにより、表示の視認性が優れた電子機器を実現できる。
【発明の効果】
【００１９】
以上、詳述したように本発明によれば、座標入力時の指示体の押圧操作による押圧力に起因して座標入力装置の下側に設けられた液晶表示ユニットのセルギャップが変化するのを防止できる座標入力装置を提供できる。
また、本発明の液晶表示装置によれば、座標入力時の指示体の押圧操作による押圧力が座標入力装置にかかっても液晶表示ユニットのセルギャプが影響を受けることがなく、表示画像に揺らぎが生じるのを改善できる。
また、本発明の電子機器は、本発明の液晶表示装置を備えることにより、表示の視認性が優れた電子機器を提供できる。
【発明を実施するための最良の形態】
【００２０】
以下、図面により本発明の実施形態について説明する。なお、以下の全ての図面においては、図面を見やすくするため、各構成要素の膜厚や寸法の比率などは適宜異ならせて示してある。
（座標入力装置及び液晶表示装置の第１の実施形態）
図１は、本発明の一実施の形態である液晶表示装置の模式断面図である。
この液晶表示装置１０は、液晶表示ユニット２０と、その前面に配設された本発明の一実施形態のタッチパネル（座標入力装置）３０とを備えて構成されている。
液晶表示ユニット２０は、互いに対向して配置された上基板２１と、下基板２２との間に、シール材２４で封止された液晶層２３を挟持しており、上基板２１の内面側（液晶層２３側）に、電極や配向膜などからなる液晶制御層２６が形成され、下基板２２の内面側（液晶層２３側）には、アルミニウムや銀等の高反射率の金属薄膜からなる反射層２７と、電極や配向膜などからなる液晶制御層２８とが下基板２２上に順に積層されている。
上記液晶表示ユニット２０は反射型とされており、外部から入射した外光を反射層２７により反射させて表示を行うようになっている。この反射層２７について、図２を参照して以下に説明する。
【００２１】
図２は、反射層２７の一部を拡大して示す斜視図であり、反射層２７は、表面に凹凸形状が形成されたアクリル樹脂等からなる有機膜２５ａ上にスパッタ法等により成膜されたアルミニウムや銀などの高反射率の金属薄膜からなる反射膜２５ｂとを備えて構成されており、さらに反射膜２５ｂ上に表面の凹凸形状を平坦化するためにシリコン系樹脂などで平坦化膜を形成してもよい。
【００２２】
反射膜２５ｂの表面の凹部２５ｃの形状としては、球面などの滑らかな曲面や、この曲面と平面を組み合わせた形状等を適用することができ、内面の傾斜角や凹部のピッチ及び深さを調整することで、液晶表示装置を表示部として備える電子機器の設計に合わせて適切な反射特性を有する反射層とすることができる。
【００２３】
このように、本実施形態の液晶表示ユニット２０は、図２に示す表面形状を有する反射層２７を備えていることで、入射光を効率よく反射させることができ、より高輝度の表示を行うことができるようになっている。また、入射光が外光である場合に光の正反射を防ぎ、明るく視認性に優れる表示が得られるようになっている。
【００２４】
タッチパネル３０は、対向して配置された上側透光性基板（第２の透光性基板）３１と下側透光性基板（第１の透光性基板）３２とが略環状のシール材３６により接合一体化され、これら上側透光性基板３１と下側透光性基板３２の間に空間部が設けられている。
上側透光性基板３１は、厚さが０．１ｍｍ乃至０．２ｍｍ程度の透明フィルム等の可撓性を有する材料から構成されている。
下側透光性基板３２は、透明ガラス基板又はプラスチック基板から構成されている。下側透光性基板３２はシール材３６で保持されている部分から遠い位置にある中央部３２ａとシール材３６で保持されている部分から近い位置にある周縁部（端部）３２ｂとで厚みが変更されており、詳しくは、シール材３６で保持されている部分から遠い位置にある中央部３２ａの厚みｔａをシール材３６で保持されている部分から近い位置にある周縁部３２ｂの厚みｔｂより薄くしており、さらに詳しくは、内面（上側透光性基板側の面）は平坦面とされ、外面（液晶表示ユニット側の面）は凹状曲面形状とすることで、周縁部３２ｂから中央部３２ａにかけて厚みが徐々に薄くされたものである。
【００２５】
中央部３２ａの厚さｔａは、周縁部３２ｂの厚さｔｂの０．５倍〜０．９９倍程度の厚みとされることが好ましく、例えば、周縁部３２ｂの厚さｔｂが１．３ｍｍの場合、中央部３２ａの厚さｔａは１．０ｍｍ程度とされる。
上記のように下側の透光性基板３２は、内面が平坦とされているので、この下側の透光性基板３２と対向するように配置された上側の透光性基板３１は、非操作時（指示体４０で押圧されないとき）には、内面及び外面とも平坦な形状のものが用いられる。
【００２６】
下側透光性基板３２の内面側（上側透光性基板３１側）には、第１の透光性電極層３３が形成され、この第１の透光性電極層３３上に絶縁体のスペーサ（図示略）が互いに間隔を空けて形成されている。
下側透光性基板３２の内面側の周縁部には銀等の導電性金属からなる引出回路や該引き出回路と接続された接続電極部等の下側印刷回路（図示略）が形成されており、この印刷回路に上記第１の透光性電極層３３が接続されている。
【００２７】
上側透光性基板３１の内面側（下側透光性基板３２側）には、第２の透光性電極層３３が形成されている。
これらの第１と第２の透光性電極層３２、３４は、いずれもインジウム酸化錫（ＩＴＯ)等の透明導電材料で形成されている。
また、上側透光性基板３１の内面側の周縁部には銀等の導電性金属からなる接続電極部などの上側印刷回路（図示略）が形成されており、この印刷回路に上記第２の透光性電極層３４が接続されている。
【００２８】
また、このタブレット３０では、上側の透光性基板３１が透明フィルムから形成されているために、上記の上下の印刷回路が透けてしまうため、ベゼルと呼ばれる枠体４５を透光性基板３１の外面側の周縁部上に設けることで印刷回路が見えないようにしている。
【００２９】
また、上記タッチパネル３０は支持部材３９を介して液晶表示ユニット２０に固定されており、タッチパネル３０が固定された状態では、タッチパネル３０と液晶表示ユニット２０は所定の間隔を有して互いに離間されるようになっている。
上記構成のタッチパネル３０は、抵抗接触式のものであり、非操作時には上記スペーサにより離間されている第１、第２の透光性電極層３３、３４を、指示体４０で上側透光性基板３１を押圧して撓ませ、この被押圧部において第１、第２の透光性電極層３３、３４を電気的に接触させることで、座標入力を行うことができる。
【００３０】
以上の構成の液晶表示装置１０によれば、液晶表示ユニット２０を用いた表示を行うことができ、また指示体４０（図示ではペン型の指示体）によりタッチパネル３０の操作面（上側光透過性基板３１の表面）を走査することで、座標入力を行うことができるようになっている。従って、例えば液晶表示ユニット２０に表示されたメニュー項目などのオブジェクトを選択する操作を行う場合には、オブジェクトの表示位置を指示体４０により押圧することで選択動作を行うことができる。
【００３１】
上記の構成のタッチパネル３０では、下側透光性基板３２の中央部３２ａの厚さｔａを周縁部３２ｂの厚さｔｂより薄くし、かつ下側透光性基板３２の外面形状（下面形状）を凹状曲面形状としている（言い換えれば下側透光性基板の外面に凹部を形成している）ので、座標入力時に上側の透光性基板３１の外面側が指示体４０により押圧された際に、下側の透光性基板３２の中央部３２ａが撓みにくい構造とし、たとえ中央部３２ａが撓んでも上記凹みがあるので（下側の透光性基板３２の中央部３２ａと液晶表示ユニット２０の上基板２１との間の距離が大きいので）、液晶表示ユニット２０の上基板２１が上記撓みの影響を受け難くなり、セルギャップが変化するのを防止できる。
【００３２】
本実施形態の液晶表示装置１０によれば、上記構成のタッチパネル３０が液晶表示ユニット２０の前面に備えられたことにより、座標入力時の指示体４０の押圧操作による押圧力がタッチパネル３０の上側の透光性基板３１にかかっても上記液晶表示ユニット２０のセルギャプが影響を受けることがなく、表示画像に揺らぎが生じることがなく、表示の視認性が向上できる。
【００３３】
なお、上記の実施形態の液晶表示装置においては、図１に示すようなタッチパネル３０が液晶表示ユニット２０の前面に備えられた場合について説明したが、図３に示すようなタッチパネル３０ａが液晶表示ユニット２０の前面に備えられたもの又は図４に示すようなタッチパネル３０ｂが液晶表示ユニット２０の前面に備えられたものであってもよい。
図３のタッチパネル３０ａが、図１のタッチパネル３０と特に異なるところは、プラスチックからなる下側透光性基板３２の外面側の周縁部にリブ３２ｃが形成されている点である。このリブ３２ｃは下側透光性基板３２と一体成形されたものである。
リブ３２ｃの高さは、例えば、周縁部を除く下側透光性基板３２の下側面（外面）と、下側透光性基板３２の下側（外面側）に配設される液晶表示ユニット２０とが所定の間隔を有して互いに離間されるように設計されるのが好ましい。具体的には、下側透光性基板３２において、リブ３２ｃが形成された周縁部が液晶表示ユニット２０と最も近接する部分となり、それ以外の部分においては液晶表示ユニット２０と所定の間隔を有して互いに離間するように設計される。また、座標入力時において、液晶表示ユニット２０のセルギャップに、より影響を与えないことから、下側透光性基板３２は、周縁部３２ｂから中央部３２ａにかけて厚みが徐々に薄くなるように形成されるとともに外面は凹状曲面形状とされ、かつ周縁部３２ｂにリブ３２ｃが形成されているものが好ましい。このように、周縁部を除く下側透光性基板３２の下側面（外面）と液晶表示ユニット２０とが所定の間隔を有している場合は、液晶表示ユニット２０上にリブ付きの第１の透光性基板３２が直接接するようにタブレット（座標入力装置）を形成することができるので、図１に示したような支持部材３９を設ける必要がなく、部品点数を少なくすることができる。
【００３４】
図４のタッチパネル３０ｂが、図１のタッチパネル３０と特に異なるところは、プラスチックからなる下側透光性基板３２Ｄの中央部３２ａの外面（液晶表示ユニット側の面）が平坦面とされており、しかも下側透光性基板３２Ｄの外面側の周縁部３２ｂにリブ３２ｆからなる凸部が形成されている点である。このリブ３２ｆを下側（液晶表示ユニット２０側）から視たときの平面形状は枠状になっている。下側透光性基板３２Ｄの外面側の周縁部には上記のようなリブ３２ｆが設けられているので、下側透光性基板３２Ｄの外面側の両端部は断面視階段状になっている。このリブ３２ｆは下側透光性基板３２Ｄと一体成形されたものである。
このタッチパネル３０ｂでは、上述したように下側透光性基板３２Ｄの外面側の周縁部にリブ３２ｆが一体成形されているので、下側透光性基板３２Ｂの中央部３２ａの厚さｔａが周縁部３２ｂの厚みｔｂよりも薄くなっている。
【００３５】
リブ３２ｆの高さは、例えば、下側透光性基板３２Ｄの中央部下側面（外面）と、下側透光性基板３２Ｄの下側（外面側）に配設される液晶表示ユニット２０とが所定の間隔を有して互いに離間されるように設計されるのが好ましい。具体的には、下側透光性基板３２Ｄにおいて、リブ３２ｆが形成された部分が液晶表示ユニット２０と最も近接する部分となり、それ以外の部分においては液晶表示ユニット２０と所定の間隔を有して互いに離間するように設計される。リブ３２ｆの寸法の具体例としては、幅が０．５〜３ｍｍ、高さが１０μｍ〜１ｍｍ程度とされる。下側透光性基板３２Ｄの中央部下側面と液晶表示ユニット２０との間隔の具体例としては、１０μｍ〜１ｍｍ程度、好ましくは０．３〜０．７ｍｍ程度とされる。
【００３６】
上記構成のタッチパネル３０ｂを液晶表示ユニット２０上に積層する際には、下側透光性基板３２Ｄのリブ３２ｆと液晶表示ユニット２０の間に低コストの厚みが薄い両面粘着テープ３２ｇを介在させ、接着することで、目的とする液晶表示装置が得られる。この両面粘着テープ３２ｇの厚みとしては、１０μｍ〜７５μｍ程度とされる。
図４に示すタッチパネル３０ｂは、下側透光性基板３２Ｄの外面側の周縁部にリブ３２ｆが形成されたことにより、リブ３２ｆと液晶表示ユニット２０の間に厚みが薄い両面テープ３２ｇを介在させることで、下側透光性基板３２Ｄの中央部下側面と液晶表示ユニット２０とが上記のような所定の間隔を有して互いに離間するように積層することができる。従って、このようなタッチパネル３０ｂが備えられた液晶表装置は、低コストとすることができる。
なお、下側透光性基板３２Ｄの外面側の周縁部にリブ３２ｆを形成しない場合（下側透光性基板の外面側が全面に亘って平坦である場合）は、下側透光性基板３２Ｄの中央部下側面と液晶表示ユニット２０とが所定の間隔を有するようにするために、下側透光性基板３２Ｄの外面側の周縁部と液晶表示ユニット２０の間に厚みが厚い（例えば、４００μｍ程度）両面粘着テープを介在させる必要がある。このような厚みが厚い両面粘着テープは、上記の厚みが薄い両面粘着テープに比べてコスト高であるため、結果として液晶表示装置がコスト高となってしまう。
【００３７】
本発明は上述の実施形態に限定されるものではなく、本発明の趣旨を逸脱しない範囲で種々変形して実施することができる。
図１〜図３に示した実施形態では、周縁部から中央部にかけて厚みが徐々に薄くなるように形成された下側透光性基板（第１の透光性基板）が備えられたタッチパネル（座標入力装置）について説明したが、第１の透光性基板としては、周縁部から中央部にかけて厚みが徐々に厚くなるように形成され、内面が凸状曲面形状とされたものや、あるいは周縁部の厚みが中央部の厚みよりも薄くなるように形成され、内面の中央部が上側透光性基板（第２の透光性基板）側に膨らんだ形状とされ、外面の中央部が外側に突出した形状とされたものであっても本発明の効果が得られる。
また、図１〜図４に示した実施形態では、本発明の座標入力装置を、抵抗接触式のタッチパネルに適用した場合について説明したが、静電容量式のタッチパネルに適用することもできる。
また、図１〜図４に示した実施形態では、本発明の液晶表示装置を反射型液晶表示装置に適用した場合について説明したが、半透過型液晶表示装置に適用することができ、その場合に反射層に代えて金属薄膜に透孔を形成した半透過反射層が設けられ、また、液晶表示ユニットの背面側にバックライト（照明装置）が設けられる。
【００３８】
（電子機器の実施形態）
図５は本発明に係る先の実施形態の液晶表示装置を備えた携帯電話（電子機器）の一例を示す斜視図である。
図５に示す携帯電話３０１は、上部筐体３０１ａと下部筐体３０１ｂとがヒンジ３０１ｃによって展開自在に連結されており、上部筐体３０１ａの操作面３０１ｄ側に表示部３０１ｅが設けられている。この表示部３０１ｅに先の実施形態の液晶表示装置１０がタッチパネル３０側を上にして備えられている。また、下部筐体３０１ｂの操作面３０１ｊには、ダイヤル操作等を行うための入力キーボード３０１ｋが設けられている。
本実施形態の携帯電話３０１では、表示部３０１ｅに先の実施形態の液晶表示装置１０が備えられたことにより、表示の視認性を向上できるという利点がある。
【図面の簡単な説明】
【００３９】
【図１】図１は本発明に係る座標入力装置を備えた液晶表示装置の実施形態を示す概略断面図。
【図２】図２は図１の液晶表示装置に備えられた液晶表示ユニットの反射層の一部を拡大して示す斜視図。
【図３】図３は本発明に係わる他の例の座標入力装置を備えた液晶表示装置の実施形態を示す概略断面図。
【図４】図４は本発明に係わる他の例の座標入力装置を備えた液晶表示装置の実施形態を示す概略断面図。
【図５】図５は本発明に係る液晶表示装置を備えた電子機器の例を示す斜視図。
【図６】図６は従来のタブレットを備えた液晶表示装置の一例を示す断面図。
【符号の説明】
【００４０】
１０・・・液晶表示装置、２０・・・液晶表示ユニット、３０，３０ａ，３０ｂ・・・タッチパネル（座標入力装置）、３１・・・上側透光性基板（第２の透光性基板）、３２，３２Ｄ・・・下側透光性基板（第１の透光性基板）、３２ａ・・・中央部、３２ｂ・・・周縁部、３２ｃ，３２ｆ・・・リブ、３２ｇ・・・両面粘着テープ、３３・・・第１の透光性電極、３４・・・第２の透光性電極、４０・・・指示体、３０１・・・携帯電話（電子機器）、３０１ｅ・・・表示部、ｔａ・・・中央部の厚さ、ｔｂ・・・周縁部３２ｂの厚さ
【図１】
2005100333.tif 000003
【図２】
2005100333.tif 000004
【図３】
2005100333.tif 000005
【図４】
2005100333.tif 000006
【図５】
2005100333.tif 000007
【図６】
2005100333.tif 000008